(57)【要約】      （修正有）【課題】  加飾フィルムと金型とにより形成される成形空間部に成形樹脂の注入を行う射出成形同時加飾品の製造方法において、成形される製品の中心部等にウェルド等が発生することを防止する。【解決手段】  第１金型１には成形樹脂を注入するゲート部１４が設けられ、成形空間部が、樹脂注入用成形空間部３２と製品成形空間部３１と樹脂排出用成形空間部３３とを備え、樹脂注入用成形空間部３２と製品成形空間部３１と樹脂排出用成形空間部３３との各境界部分がそれぞれ互いに仕切られることなく連通しており、注入された成形樹脂がゲート部１４より略放射状に流れて広がって樹脂注入用成形空間部３２に充填され、略放射状の広がりを維持した状態で製品成形空間部３１に充填され、製品成形空間部３１から排出されるように樹脂排出用成形空間部３３に流れ込んで成形空間部全体に充填される射出成形同時加飾品の製造方法。【選択図】  図２
2005246974.tif 000002
【特許請求の範囲】
【請求項１】
互いに対向配置された第１金型（１、７１）と第２金型（２、７２）との間に加飾フィルム（５）を配置し、当該加飾フィルムと当該第１金型とによって形成される成形空間部（３）に溶融した成形樹脂（４）を注入して当該成形空間部に充填された成形樹脂を固化させて射出成形同時加飾品（１０）を得る射出成形同時加飾品の製造方法において、
前記第１金型には前記成形樹脂（４）を注入するゲート部（１４）が設けられ、前記成形空間部が、ゲート部から注入された成形樹脂が流入する当該ゲート部に連通して形成された樹脂注入用成形空間部（３２）と樹脂注入用成形空間部に流入した成形樹脂が当該樹脂注入用成形空間部から流入する当該樹脂注入用成形空間部に隣接して形成された製品成形空間部（３１）と製品成形空間部に充填された成形樹脂の一部の成形樹脂が製品成形空間部から排出されて流入する当該製品成形空間部に隣接して形成された樹脂排出用成形空間部（３３）とを備え、
前記樹脂注入用成形空間部と前記製品成形空間部と前記樹脂排出用成形空間部との各境界部分がそれぞれ互いに仕切られることなく連通しており、注入された成形樹脂がゲート部より略放射状に流れて広がって樹脂注入用成形空間部に充填され、当該略放射状の広がりを維持した状態で樹脂注入用成形空間部から製品成形空間部に流れ込んで製品成形空間部に充填され、製品成形空間部から排出されるように樹脂排出用成形空間部に流れ込んで成形空間部全体に充填され、その後、成形樹脂を固化させると共に当該成形樹脂の表面を前記加飾フィルムにより加飾して射出成形同時加飾品を得ることを特徴とする射出成形同時加飾品の製造方法。
【請求項２】
第１金型（１）と第２金型（２）との間に加飾フィルムを配置した状態で第１金型と第２金型とを型締めして成形空間部を密閉させた状態において成形樹脂の注入を行ない、成形空間部に成形樹脂が充填された後、成形空間部の容積を縮小させて充填された成形樹脂の圧縮を行なう請求項１記載の射出成形同時加飾品の製造方法。
【請求項３】
第１金型（７１）と第２金型（７２）との間に加飾フィルムを配置した状態で第１金型と第２金型とを近接配置させて成形空間部を開放させた状態において成形樹脂の注入を行ない、その後、第１金型と第２金型とを型締めして成形空間部の容積を縮小させて充填された成形樹脂の圧縮を行なう請求項１記載の射出成形同時加飾品の製造方法。
【請求項４】
互いに対向配置された第１金型（１、７１）と第２金型（２、７２）との間に加飾フィルム（５）を配置し、当該加飾フィルムと当該第１金型とによって形成される成形空間部（３）に溶融した成形樹脂（４）を注入して当該成形空間部に充填された成形樹脂を固化させると共に当該加飾フィルムにより成形樹脂の表面に加飾を行って射出成形同時加飾品（１０）を得るための射出成形同時加飾用金型において、
前記第１金型には前記成形樹脂（４）を注入するゲート部（１４）が設けられ、前記成形空間部が、ゲート部から注入された成形樹脂が流入する当該ゲート部に連通して形成された樹脂注入用成形空間部（３２）と樹脂注入用成形空間部に流入した成形樹脂が当該樹脂注入用成形空間部から流入する当該樹脂注入用成形空間部に隣接して形成された製品成形空間部（３１）と製品成形空間部に充填された成形樹脂の一部の成形樹脂が製品成形空間部から排出して流入される当該製品成形空間部に隣接して形成された樹脂排出用成形空間部（３３）とを備え、
前記樹脂注入用成形空間部と前記製品成形空間部と前記樹脂排出用成形空間部との各境界部分がそれぞれ互いに仕切られることなく連通しており、注入された成形樹脂がゲート部より略放射状に流れて広がって樹脂注入用成形空間部に充填され、当該略放射状の広がりを維持した状態で樹脂注入用成形空間部から製品成形空間部に流れ込んで製品成形空間部に充填され、製品成形空間部から排出されるように樹脂排出用成形空間部に流れ込んで成形空間部全体に充填されることを特徴とする射出成形同時加飾用金型。
【請求項５】
樹脂排出用成形空間部を形成する第２金型の表面に該表面に密着した加飾フィルムの弛みを除去して保持する略凸状に隆起したフィルム保持部（２３）が設けられている請求項４記載の射出成形同時加飾用金型。
【請求項６】
成形空間部が方形状であって製品成形空間部の平均断面積Ｓ１（ｍｍ２）と製品成形空間部の平均厚みＴ１（ｍｍ）と外枠成形空間部の平均断面積Ｓ２（ｍｍ２）と外枠成形空間部の平均厚みＴ２（ｍｍ）とがＳ１≧４×Ｓ２かつＴ１≧Ｔ２の関係にある請求項４又は請求項５記載の射出成形同時加飾用金型。
【発明の詳細な説明】
【技術分野】
【０００１】
本発明は、射出成形同時加飾品の製造方法及び射出成形同時加飾用金型に関するものである。
【背景技術】
【０００２】
近年、軽薄短小化の要請から、電子機器の成形品や各種部品を極力薄肉化する要望が高まっている。この要望に応えるため、各製品の外形に適合した成形空間部と成形空間部の全周を囲む補助空間部とから構成される射出成形金型を用いた樹脂成形品の製造方法に関するものとして、例えば、特許第３０４４０２７号公報に記載されているような樹脂成形品の製造方法がある。
【０００３】
この従来における成形品の製造方法においては、互いに対向配置された２枚の金型により形成される空間である成形空間部の全周を囲む補助空間部に溶融した成形樹脂をゲート部から注入させた後、補助空間部を介して成形空間部に成形樹脂を注入して樹脂成形品を得る発明であり、補助空間部のあらゆる方向から成形空間部に樹脂を流入させることができるので、成形空間部が薄肉であっても樹脂を均一に流入させることが容易に可能となるとされている。
【０００４】
ここで、前記２枚の金型により夫々の空間が形成された状態の夫々の金型の模式断面図を図４０Ａに示し、さらに、図４０Ａにおける夫々の空間への溶融された成形樹脂の注入の際における当該成形樹脂の流れを示す模式平面図を図４０Ｂに示し、これらの図面を用いて、前記従来の製造方法について具体的に説明する。図４０Ａに示すように、前記２枚の金型、すなわち、第１金型５０１と第２金型５０２とが互いに対向されて配置されて、さらに型締めされることで、夫々の金型５０１と５０２との内側表面間には、成形空間部５０３と、この成形空間部５０３の外周全体に渡って連通されて配置された補助空間部５０４とが形成される。補助空間部５０４には、金型５０１の外部より溶融された成形樹脂を注入可能なゲート部５１４が連通されて備えられている。このような状態において、ゲート部５１４から補助空間部５０４内に溶融された成形樹脂の注入が行なわれると、補助空間部５０４内に注入された成形樹脂は、図４０Ｂに示すように、成形空間部５０３の外周全体を回り込むように流された後、成形空間部５０３の略中央部分に向かって流れ込むようにして（図示矢印ｄが成形樹脂の流れ方向を示す）、補助空間部５０４から成形空間部５０３へ成形樹脂の導入が行なわれる。
【０００５】
すなわち、ゲート部５１４を通して補助空間部５０４に注入された成形樹脂は、補助空間部５０４から成形空間部５０３へと向かうあらゆる方向より、成形空間部５０３内へ導入されることとなる。このようにあらゆる方向から成形空間部５０３内への成形樹脂の導入が行なわれることにより、薄肉の成形空間部５０３内へ略均一な状態で成形樹脂の供給を行なうことが可能となる。そして、導入された成形樹脂が固化された後、第１金型５０１と第２金型５０２とが離間されて、薄肉の樹脂成形品５０５が取り出される。さらにその後、この樹脂成形品５０５の表面への加飾が、例えば、印刷や塗装により行なわれることで射出成形加飾品が製造される。
【０００６】
【特許文献１】特許第３０４４０２７号公報
【発明の開示】
【発明が解決しようとする課題】
【０００７】
しかしながら、このような従来の樹脂成形品の製造方法においては、樹脂成形品が形成された後に、当該樹脂成形品に対する加飾が行なわれるというように、加飾が後加工となるため、加飾が多層になると生産効率が悪い上に、成形品が立体形状になると容易に印刷することができなかったり、精度を必要とするパターンでは塗装できなかったりする場合があるという問題がある。
【０００８】
また、ゲート部５１４より補助空間部５０４に注入された溶融した成形樹脂が、補助空間部５０４を介して成形空間部５０３内に注入されるため、つまり成形空間部５０３の全周を囲むように配置された補助空間部５０４から成形空間部５０３に向かって溶融した成形樹脂が流れ込むことになるため、次のような問題点がある。
【０００９】
すなわち、ガスを多く含む溶融した成形樹脂の先端部分が成形空間部５０３の中心部に集まることになり、成形された樹脂成形品５０５の中心部にガスが残りやすい。さらに、このようにガスが残りやすい状態において、溶融した成形樹脂が成形空間部５０３の中心部付近で相互にぶつかりあうことで、図４２の樹脂成形品５０５の模式図に示すように、成形空間部５０３により形成された樹脂成形部５０５ａ（なお、図示５０５ｂは、補助空間部５０４により形成された樹脂成形部である。）の当該中心部付近において、ガスによる樹脂焼け５５２が発生するおそれがある。また、図４１に示すように、溶融した成形樹脂が成形空間部５０３の中心部付近で相互にぶつかりあうことにより、成形空間部５０３により形成された樹脂成形部５０５ａの略中心部付近において、ウエルド５５１が生じ易いという問題がある。
【００１０】
また、成形空間部５０３の全周を囲む補助空間部５０４を介して溶融した成形樹脂を成形空間部５０３に注入させて、成形空間部５０３へのあらゆる方向からの略均一な成形樹脂の注入を実現させるため、成形空間部５０３をはさんでゲート部５１４と反対側に位置される補助空間部５０４に、成形空間部５０３への成形樹脂の充填が開始される前までに、成形樹脂の充填を行なう必要があるという制約がある。このような制約の存在は、成形空間部５０３及び補助空間部５０４の形状や配置を実質的にごく限られたものに限定してしまうという問題点がある。
【００１１】
従って、本発明の目的は、前記問題点を解決することにあって、互いに対向配置された第１金型と第２金型との間に加飾フィルムを配置し、当該加飾フィルムを前記第１金型とによって形成される成形空間部に溶融した成形樹脂を注入して、当該注入により前記成形空間部に充填された前記成形樹脂を固化させるとともに、当該成形樹脂の表面に前記加飾フィルムにより加飾を行なう射出成形同時加飾において、様々な形状の成形品への加飾を高精度かつ効率的に行なうことができ、さらに、成形される樹脂成形品の中心部等にウエルド等が発生することを防止できる射出成形同時加飾品の製造方法及び当該製造において用いられる射出成形同時加飾用金型を提供することにある。
【課題を解決するための手段】
【００１２】
本発明は、前記目的を達成するため、以下のように構成している。
【００１３】
本発明に係る射出成形同時加飾品の製造方法は、互いに対向配置された第１金型と第２金型との間に加飾フィルムを配置し、当該加飾フィルムと当該第１金型とによって形成される成形空間部に溶融した成形樹脂を注入して当該成形空間部に充填された成形樹脂を固化させて射出成形同時加飾品を得る射出成形同時加飾品の製造方法において、前記第１金型には前記成形樹脂を注入するゲート部が設けられ、前記成形空間部が、ゲート部から注入された成形樹脂が流入する当該ゲート部に連通して形成された樹脂注入用成形空間部と樹脂注入用成形空間部に流入した成形樹脂が当該樹脂注入用成形空間部から流入する当該樹脂注入用成形空間部に隣接して形成された製品成形空間部と製品成形空間部に充填された成形樹脂の一部の成形樹脂が製品成形空間部から排出されて流入する当該製品成形空間部に隣接して形成された樹脂排出用成形空間部とを備え、前記樹脂注入用成形空間部と前記製品成形空間部と前記樹脂排出用成形空間部との各境界部分がそれぞれ互いに仕切られることなく連通しており、注入された成形樹脂がゲート部より略放射状に流れて広がって樹脂注入用成形空間部に充填され、当該略放射状の広がりを維持した状態で樹脂注入用成形空間部から製品成形空間部に流れ込んで製品成形空間部に充填され、製品成形空間部から排出されるように樹脂排出用成形空間部に流れ込んで成形空間部全体に充填され、その後、成形樹脂を固化させると共に当該成形樹脂の表面を前記加飾フィルムにより加飾して射出成形同時加飾品を得るものである。
【００１４】
また、本発明は、前記射出成形同時加飾品の製造方法において、第１金型と第２金型との間に加飾フィルムを配置した状態で第１金型と第２金型とを型締めして成形空間部を密閉させた状態において成形樹脂の注入を行ない、成形空間部に成形樹脂が充填された後、成形空間部の容積を縮小させて充填された成形樹脂の圧縮を行なうものである。
【００１５】
また、本発明は、前記射出成形同時加飾品の製造方法において、第１金型と第２金型との間に加飾フィルムを配置した状態で第１金型と第２金型とを近接配置させて成形空間部を開放させた状態において成形樹脂の注入を行ない、その後、第１金型と第２金型とを型締めして成形空間部の容積を縮小させて充填された成形樹脂の圧縮を行なうものである。
【００１６】
また、本発明に係る射出成形同時加飾用金型は、互いに対向配置された第１金型と第２金型との間に加飾フィルムを配置し、当該加飾フィルムと当該第１金型とによって形成される成形空間部に溶融した成形樹脂を注入して当該成形空間部に充填された成形樹脂を固化させると共に当該加飾フィルムにより成形樹脂の表面に加飾を行って射出成形同時加飾品を得るための射出成形同時加飾用金型において、前記第１金型には前記成形樹脂を注入するゲート部が設けられ、前記成形空間部が、ゲート部から注入された成形樹脂が流入する当該ゲート部に連通して形成された樹脂注入用成形空間部と樹脂注入用成形空間部に流入した成形樹脂が当該樹脂注入用成形空間部から流入する当該樹脂注入用成形空間部に隣接して形成された製品成形空間部と製品成形空間部に充填された成形樹脂の一部の成形樹脂が製品成形空間部から排出して流入される当該製品成形空間部に隣接して形成された樹脂排出用成形空間部とを備え、前記樹脂注入用成形空間部と前記製品成形空間部と前記樹脂排出用成形空間部との各境界部分がそれぞれ互いに仕切られることなく連通しており、注入された成形樹脂がゲート部より略放射状に流れて広がって樹脂注入用成形空間部に充填され、当該略放射状の広がりを維持した状態で樹脂注入用成形空間部から製品成形空間部に流れ込んで製品成形空間部に充填され、製品成形空間部から排出されるように樹脂排出用成形空間部に流れ込んで成形空間部全体に充填されるものである。
【００１７】
また、本発明は、前記射出成形同時加飾用金型において、樹脂排出用成形空間部を形成する第２金型の表面に該表面に密着した加飾フィルムの弛みを除去して保持する略凸状に隆起したフィルム保持部が設けられているものである。
【００１８】
さらに、本発明は、前記いずれかの射出成形同時加飾用金型において、成形空間部が方形状であって製品成形空間部の平均断面積Ｓ１（ｍｍ２）と製品成形空間部の平均厚みＴ１（ｍｍ）と外枠成形空間部の平均断面積Ｓ２（ｍｍ２）と外枠成形空間部の平均厚みＴ２（ｍｍ）とがＳ１≧４×Ｓ２かつＴ１≧Ｔ２の関係にあるものである。
【発明の効果】
【００１９】
本発明によれば、射出成形同時加飾品の製造方法において、成形空間部が、製品成形空間部と、当該製品成形空間部に注入された成形樹脂が流入される樹脂排出用成形空間部とからなり、前記製品成形空間部に前記成形樹脂の注入を行なうとともに、当該注入された成形樹脂の一部を当該製品成形空間部より前記樹脂排出用成形空間部に排出しながら、当該製品成形空間部への前記成形樹脂の充填を行なうことで、前記製品成形空間部内において、前記成形樹脂の注入の位置から前記樹脂排出用成形空間部への排出の方向に向けての前記成形樹脂の流れを形成することができる。したがって、製品部分としての成形品が形成される前記製品成形空間部内において、前記成形樹脂があらゆる方向から流れ込むのではなく、前記成形樹脂同士のぶつかり合いが生じないように、当該成形樹脂の流れ方向を規制することができる。よって、前記製品成形空間部内において、ウエルドが生じることを確実に防止することができる。
【００２０】
また、前記製品成形空間部に充填された成形樹脂の一部は、前記樹脂排出用成形空間部に流入されることとなるため、上述のようなウエルドが発生するような場合であっても、そのウエルドは製品部分として用いられず、除去される部分である当該樹脂排出用成形空間部内において生じることとなるため、特に問題は生じない。
【００２１】
さらに、前記成形樹脂中に含まれるガスも、前記規制された流れ方向に沿って前記成形樹脂とともに、前記樹脂排出用成形空間部に流入されて集積されることとなるため、前記製品成形空間部にガス溜り部分を生じさせることなく、ガスによる樹脂焼けを防止することができる。
【００２２】
したがって、最終的な製品部分となる前記製品成形空間部により形成される成形品の表面には、ウエルドや樹脂焼けを生じさせることなく、その品質を向上させることができる。
【００２３】
また、前記ウエルドや樹脂焼けを防止することができるため、前記製品成形空間部において形成される成形品の表面に、当該成形とともに加飾フィルムによる加飾を行なうことができ、効率的な加飾を実現することができる。
【００２４】
さらに、このような加飾フィルムを用いた射出成形同時加飾を実現できることにより、加飾が多色になっても生産性にほとんど影響がでない。また、加飾フィルムが金型形状に追随して成形されるため、通常の印刷では困難な三次元形状面に対する加飾も可能とすることができ、高精度な加飾を効率的に行なうことができる。
【００２５】
また、本発明によれば、前記成形空間部が、当該成形空間部の外部より前記成形樹脂が注入される樹脂注入用成形空間部をさらに有していることにより、前記成形空間部の外部より前記樹脂注入用成形空間部に前記成形樹脂の注入を行なうとともに、当該注入された成形樹脂を当該樹脂注入用成形空間部より前記製品成形空間部に流入させて、当該製品成形空間部への前記成形樹脂の注入を行なうことができる。このように、前記成形樹脂の注入が行なわれる注入孔部を、直接的に前記製品成形空間部に設けるのではなく、別の空間部である前記樹脂注入用成形空間部に設けることで、前記注入孔部より注入される成形樹脂の噴出圧力等による前記加飾フィルムの損傷を防止することができるとともに、前記製品成形空間部への前記成形樹脂の注入をより均一化されたものとすることができる。
【００２６】
また、本発明によれば、前記成形空間部が２つの製品成形空間部を備えるような場合であっても、上述の効果を有する製造方法を提供することができる。さらに、前記成形空間部において、夫々の製品成形空間部に対して、個別に前記樹脂注入用成形空間部や前記樹脂排出用成形空間部を備えさせるような場合でなくても、例えば、共通の前記樹脂注入用成形空間部や共通の前記樹脂排出用成形空間部を備えさせることで、前記成形空間部における夫々の空間配置を効率的に行なうことができる。したがって、金型の小型化や使用される成形樹脂の有効活用等、効率的な射出成形同時加飾品の製造方法を提供することができる。
【００２７】
また、本発明によれば、本発明の射出成形同時加飾品の製造方法に、射出成形にて用いられる様々な成形方法を適用することができる。例えば、密閉状態にて成形空間部への成形樹脂の注入を行なうことで、金型周部に露出される成形樹脂をなくすことができ、また、成形樹脂の注入後、前記成形空間部の容積を縮小させることで、前記成形空間部が薄型空間等であるような場合であっても、前記成形樹脂の注入を良好に行なうことができるとともに、前記注入された成形樹脂の密度を高めることができ、高密度成形品を製造することができる。
【００２８】
また、本発明によれば、射出成形同時加飾用金型において、成形空間部が、製品成形空間部と、当該製品成形空間部に注入された成形樹脂が流入される樹脂排出用成形空間部とからなることにより、前記製品成形空間部に前記成形樹脂の注入を行なうとともに、当該注入された成形樹脂の一部を当該製品成形空間部より前記樹脂排出用成形空間部に排出しながら、当該製品成形空間部への前記成形樹脂の充填を行ない、前記製品成形空間部内において、前記成形樹脂の注入の位置から前記樹脂排出用成形空間部への排出の方向に向けての前記成形樹脂の流れを形成という成形品の製造を実現することができる。したがって、前記製品成形空間部内において、ウエルドが生じることを確実に防止することができる。また、上述のようなウエルドが発生するような場合であっても、そのウエルドは製品部分として用いられず、除去される部分である当該製品成形空間部内において生じることとなるため、特に問題は生じない。
【００２９】
さらに、前記成形樹脂中に含まれるガスも、前記規制された流れ方向に沿って前記成形樹脂とともに、前記樹脂排出用成形空間部に流入されて集積されることとなるため、前記製品成形空間部にガス溜り部分を生じさせることなく、ガスによる樹脂焼けを防止することができる。
【００３０】
したがって、最終的な製品部分となる前記製品成形空間部により形成される成形品の表面には、ウエルドや樹脂焼けを生じさせることなく、その品質を向上させることができる射出成形同時加飾用金型を提供することができる。
【００３１】
また、本発明によれば、前記成形空間部が、当該成形空間部の外部より前記成形樹脂が注入される樹脂注入用成形空間部をさらに有していることにより、前記成形空間部の外部より前記樹脂注入用成形空間部に前記成形樹脂の注入を行なうとともに、当該注入された成形樹脂を当該樹脂注入用成形空間部より前記製品成形空間部に流入させて、当該製品成形空間部への前記成形樹脂の注入を行なうというような成形品の製造方法を実現することが可能となる。このように、前記成形樹脂の注入が行なわれる注入孔部を、直接的に前記製品成形空間部に設けるのではなく、別の空間部である前記樹脂注入用成形空間部に設けることで、前記注入孔部より注入される成形樹脂の噴出圧力等による前記加飾フィルムの損傷を防止することができるとともに、前記製品成形空間部への前記成形樹脂の注入をより均一化することができる射出成形同時加飾用金型を提供することができる。
【００３２】
また、本発明によれば、前記フィルム保持部により、前記加飾フィルムを密着させることで、当該加飾フィルムの弛みの除去を行ないながら、当該加飾フィルムの配置の保持を行なうことができるため、前記成形品の表面に前記加飾フィルムの皺や弛みの跡部を形成することもなく、さらに、前記成形品の表面における所定の位置に確実に加飾を行なうことができ、高精度な射出成形同時加飾品を製造することができる。
【００３３】
なお、本発明において、前記フィルム保持部又はその近傍に加飾フィルムを吸引して保持する複数の吸引部を備える場合には、当該加飾フィルムの保持をより確実なものとすることができる。
【００３４】
また、前記第１金型又は前記第２金型に溝部と該溝部と係合可能な係合部を備える場合には、溝部と係合部とが前記加飾フィルムを介して係合されることで、当該加飾フィルムへの張力付与を行なうことができる。これにより、前記第１金型と前記第２金型との前記加飾フィルムを介した型締めの際に、前記加飾フィルムに対して張力付与を自動的に行なうことができ、前記成形空間部における前記加飾フィルムの皺や弛みの発生を抑制することができる。
【００３５】
さらに、前記樹脂排出用成形空間部にエアベント部を設ける場合には、当該樹脂排出用成形空間部に集束されたガスをエアベント部を通して確実に除去することができる。また、エアベント部が、前記樹脂排出用成形空間部において、前記製品成形空間部の周部近傍に位置されることで、前記製品成形空間部に僅かに残留するガスの除去をも併せて行なうことができる。
【発明を実施するための最良の形態】
【００３６】
本発明の実施の形態を説明するに先だって、本発明の特許請求の範囲、及び本明細書において用いられている用語の定義について説明する。
【００３７】
用語「成形空間部」とは、互いに対向配置された第１金型と第２金型との間に加飾フィルムを配置し、前記加飾フィルムと第１金型とによって形成される空間のことであって、当該空間内に樹脂が注入され、さらに当該樹脂が固化されることで、当該空間の形態に応じた樹脂成形品（すなわち、製品部分及び製品を形成するための除去部分を含めた成形品全体）を形成することが可能となるような空間のことである。
【００３８】
用語「製品成形空間部」とは、前記成形空間部のうちの前記製品部分となり得る樹脂成形品が形成される空間のことである。すなわち、前記樹脂成形品から前記除去部分を取り除いた製品部分が形成される空間のことである。
【００３９】
用語「樹脂排出用成形空間部」とは、前記成形空間部の一部であって、前記製品成形空間部の周囲の少なくとも一部に隣接かつ連通して形成され、前記製品成形空間部に注入された成形樹脂の一部が、当該製品成形空間部を介して充填される空間のことであり、本発明の前記成形空間部には必ず備えられている空間のことである。また、言い換えれば、前記製品成形空間部に注入された成形樹脂の一部が、当該製品成形空間部から排出されて流入される排出先の空間のことである。この樹脂排出用空間部において形成された樹脂成形品の部分は、主に、前記除去部分として前記樹脂成形品より取り除かれることが多く、このように取り除かれることで、当該樹脂成形品から製品が形成されることになる。ただし、前記樹脂排出用空間部にて形成された部分が取り除かれることなく、製品部分の一部として用いられるような場合であってもよい。なお、この樹脂排出用成形空間部のことを、付加成形空間部というような場合であってもよい。
【００４０】
用語「樹脂注入用成形空間部」とは、前記成形空間部の一部であって、前記製品成形空間部の周囲の少なくとも一部に隣接かつ連通して形成されるとともに、前記成形樹脂が前記成形空間部の外部より注入される空間のことである。さらに、前記外部から注入された成形樹脂を、当該樹脂注入用成形空間部を介して、前記製品成形空間部内に流入させることで、前記製品成形空間部内へ前記成形樹脂の注入を行なうような空間でもある。この樹脂注入用成形空間部において形成された樹脂成形品の部分は、主に、前記除去部分として前記樹脂成形品より取り除かれることが多く、このように取り除かれることで、当該樹脂成形品から製品が形成されることとなる。ただし、前記樹脂注入用成形空間部にて形成された部分が取り除かれることなく、製品部分の一部として用いられるような場合であってもよい。なお、この樹脂注入用成形空間部のことを補助成形空間部というような場合であってもよい。
【００４１】
本発明の実施の形態を説明するにあたって、まず、本発明の概念的な構成について詳細に説明する。本発明においては、射出成形品の加飾方法として射出成形同時加飾法を採用している。射出成形同時加飾法は、射出成形用金型の第１金型と第２金型との間に加飾フィルムを配置させて、夫々の金型の型締めを行ない、加飾フィルムと第１金型によって形成される成形空間部に溶融した成形樹脂をゲート部から注入し、注入された成形樹脂を固化させて加飾フィルムが成形樹脂と一体化された射出成形同時加飾品を得る方法である。  なお、その後の工程で、加飾フィルムを構成する基体シートを剥離することもある。射出成形同時加飾法では、予め印刷加工を施している加飾フィルムを使用するため、加飾が多色になっても生産性にほとんど影響が出ない。また、加飾フィルムが第２金型形状に追随して成形されるため、通常の印刷ではできない三次元形状面にも加飾が可能となる。また、加飾フィルム上でパターン化が可能である。
【００４２】
また、本発明においては、成形空間部が、相互に連通した、複数の製品成形空間部と各々の製品成形空間部を囲む外枠成形空間部とからなり、例えば、外枠成形空間部が、ゲート部に近い樹脂注入用成形空間部とゲート部から離れて製品成形空間部を介して位置される樹脂排出用成形空間部とからなり、溶融した成形樹脂が樹脂注入用成形空間部を介して製品成形空間部に充填された後あるいは当該充填とともに、製品成形空間部に充填された成形樹脂の一部が樹脂排出用成形空間部に流れ込んで充填されるように構成している。
【００４３】
また、このような夫々の空間部が形成されることより、前記第１金型は、前記加飾フィルムとの間にて前記製品成形空間部を形成可能な製品成形品形成部と、前記加飾フィルムとの間にて前記樹脂注入用成形空間部を形成可能な注入用空間成形品形成部と、前記加飾フィルムとの間にて前記樹脂排出用成形空間部を形成可能な排出用空間成形品形成部とを、その表面に形成された凹状の部分に備えていると言える。また、前記製品成形空間形成部に対して、前記注入用空間成形品形成部は隣接されて配置されており、また、前記製品成形空間形成部に対して、前記排出用空間成形品形成部は隣接されて配置されている。
【００４４】
そして本発明では、成形樹脂をこのように流動させるために、成形空間部が板状などの方形状であって、製品成形空間部の平均断面積をＳ１（ｍｍ２）、製品成形空間部の平均厚みをＴ１（ｍｍ）、外枠成形空間部の平均断面積をＳ２（ｍｍ２）、外枠成形空間部の平均厚みをＴ２（ｍｍ）としたとき、Ｓ１≧４×Ｓ２かつＴ１≧Ｔ２の関係がある射出成形同時加飾用金型とするのが好ましい。
【００４５】
すなわち、製品成形空間部の平均厚みおよび平均断面積を、外枠成形空間部の平均厚みおよび平均断面積以上となるように設定することで、溶融した成形樹脂を例えば樹脂注入用成形空間部を介して製品成形空間部に充填させた後、樹脂排出用成形空間部に充填させることができる金型を構成することができる。なお、これらの数値は表１に示す試験結果から設定することができる。
【００４６】
【表１】
2005246974.tif 000003
【００４７】
表１の試験結果において、所望の成形樹脂の流れの可否は、溶融した状態の成形樹脂が、樹脂注入用成形空間部を介して製品成形空間部に充填された後、あるいは当該充填とともに、当該製品成形空間部に充填された成型樹脂の一部が樹脂排出用成形空間部に流れ込んで充填された場合を○で示し、そうでない場合を×で示している。なお、前記「そうでない場合：×」においては、樹脂排出用成形空間部内に成形樹脂の流れ込み自体は確認することができたものの、完全に充填するまでの状態とはされなかったため、前記「充填された場合：○」と区別している。
【００４８】
このような形状の金型を構成することにより、成形空間部内に注入された成形樹脂の先端部分が樹脂排出用成形空間部に送り込まれることになるため、成形樹脂中に発生するガスを当該成形樹脂とともに樹脂排出用成形空間部に送り込むことができ、製品成形空間部におけるガスの残留量を低減することができる。また、溶融した成形樹脂が製品成形空間部の中心部付近で相互にぶつかりあうことを回避できるため、ガスによる樹脂焼けが発生することもない。さらに、溶融した成形樹脂が製品成形空間部の中心部付近で相互にぶつかりあうことを回避できるため、ウエルドが発生するような場合であっても、当該ウエルドの発生箇所を樹脂排出用成形空間部へ移動させることができる。なお、射出成形同時加飾法を採用する際には、加飾フィルムのウエルド発生箇所に該当する位置に大皺が発生し、射出成形同時加飾品の外観を損ねやすいが、前記構成とすることにより、ウエルドの発生箇所を樹脂排出用成形空間部へ移動させることができるので、この問題も同時に解消される。
【００４９】
さらに、本発明では、射出成形同時加飾法の採用に伴って製品成形品部に新たに生じるおそれのある加飾フィルムの小皺の発生を防止できる射出成形同時加飾金型を、第１金型と第２金型とを有し、第２金型の凹部面の各々の製品成形空間部を囲む外枠成形空間部に仕切り凸部が設けられるような構成としてもよい。射出成形同時加飾法においては、通常、溶融した成形樹脂の流動にともなう引き摺りの負荷が加飾フィルムにかかり、これによって加飾フィルムに弛みが生じる。しかし、第２金型の凹部面に仕切り凸部が設けられている場合、次の理由により、前記加飾フィルムの弛みを生じにくくすることができる。何故なら、溶融した成形樹脂は、樹脂注入用成形空間部に充填された後、製品成形空間部との間に設けられた仕切り凸部を越えて製品成形空間部に進入する。この際、溶融した成形樹脂は、加飾フィルムを仕切り凸部でもって押さえつつ、かつ引き伸ばしながら製品成形空間部に充填されていくからである。したがって、仕切り凸部で囲まれた加飾フィルムには小皺が発生しにくい。
【００５０】
なお、仕切り凸部の形成位置は、製品成形空間部と接する位置に設けてもよいし、離れた位置に設けてもよい。すなわち、仕切り凸部によって囲まれた成形空間部は、製品成形空間部のみであってもよいし、製品成形空間部と外枠成形空間部を含んでいてもよい。また、仕切り凸部は、輪のように連続的に設けてもよいし、不連続的に設けてもよい。また、本発明では、前記射出成形同時加飾用金型において、仕切り凸部に吸引ピンが設けられる構成としてもよい。吸引ピンは、加飾フィルムを第２金型に吸引固定する機能を有するとともに、加飾フィルムと第２金型の間に残った空気やゴミ、および加飾フィルムの基体シートから発生するガスなどを取り除く機能がある。吸引ピンの形状は円筒型のほかブロックのような方形状であってもよい。また、吸引ピンは、仕切り凸部によって囲まれた成形空間部内にも設けてもよい。
【００５１】
また、本発明では、前記射出成形同時加飾用金型において、外枠成形空間部の外周の基準面に、張溝が設けられている構成としてもよい。仕切り凸部によって囲まれた成形空間部が小皺なく形成されたとしても、仕切り凸部の外側、とくに樹脂排出用成形空間部は依然として小皺が発生しやすい状態であり、その小皺のために射出成形同時加飾品の加飾の位置が若干ずれることがある。しかし、射出成形同時加飾用金型に張溝が設けられていると、樹脂排出用成形空間部で生じた加飾フィルムの弛みが張溝で緩和されるとともに、成形空間部内の加飾フィルム全体の張力も適度に保たれる。したがって、射出成形同時加飾品の加飾の位置がずれることはない。なお、張溝は輪のように連続的に設けてもよいし、不連続的に設けてもよい。ただし、張溝を輪のように成形空間部全外周に設けた場合の方が、その効果がどの方向に対しても均一になるため、好ましい。
【００５２】
また、本発明では、前記射出成形同時加飾用金型において、樹脂排出用成形空間部における製品成形空間部と接する位置にエアベントピンを設けてもよい。射出成形同時加飾法は、加飾フィルムを第２金型側に挟んで成形するため、第２金型側からの成形樹脂のガスが逃げにくく、一般の射出成形用金型より成形樹脂のガスを逃がしにくい。このため、第１金型側にガスを逃がすための工夫が必要となる。また、成形樹脂のガスは比較的溶融した成形樹脂の先端部分に多く含まれる。そこで、第１金型側の溶融した成形樹脂の先端部分が最終的に集まる箇所（つまり、樹脂排出用成形空間部）にエアベントピンを設けることで、エアベントピンと第１金型本体との隙間から当該樹脂排出用成形空間部に集まった成形樹脂のガスを逃がすことができる。
【００５３】
特に、エアベントピンを製品成形空間部に最も近い位置（つまり、製品成形空間部と接する位置）に設けることにより、樹脂排出用成形空間部に集束した成形樹脂のガスだけでなく、製品成形空間部に僅かに残り得る成形樹脂のガスも効率的に逃がすことができる。エアベントピンと製品成形空間部との接する巾は０．１〜１．０ｍｍが好ましい。接する巾が１．０ｍｍより大きいと、射出成形同時加飾品を製品成形品部と樹脂排出用成形品部とに切断した後でも、この接する部分が製品成形品部に跡として残り、見栄えが悪くなるためである。一方、この接する部分が０．１ｍｍより小さいと製品成形空間部に僅かに残った成形樹脂のガスが逃げにくい。なお、エアベントピンの形状は円筒型のほかブロックのような方形状であってもよい。
【００５４】
以上、この射出成形同時加飾用金型を用いて射出成形同時加飾することにより、複数の製品成形品部と、当該製品成形品部と連通された外枠成形品部を有する射出成形同時加飾品であって、製品成形品部と接する外枠成形品部における樹脂排出用成形品部にエアベント跡が形成されている射出成形同時加飾品が得られる。なお、エアベント跡は貫通していてもよいし、していなくともよい。
【００５５】
第１実施形態
【００５６】
以下、図面を参照して本発明における第１の実施形態を詳細に説明する。なお、本発明の夫々の実施の形態の説明にて用いられる添付図面においては、同じ部品については同じ参照符号を付している。
【００５７】
まず、本第１実施形態にかかる射出成形同時加飾品の製造方法を模式的に示す模式説明図として、第１金型と第２金型の模式断面図を図１、図２、図３及び図４に示す。また、この第１金型の平面図を図５に示し、図５の第１金型におけるＢ−Ｂ線断面図を図６Ａに、Ｄ−Ｄ線断面図を図６Ｂに、Ｃ−Ｃ線断面図を図６Ｃに、Ｅ−Ｅ線断面図を図６Ｄに示す。さらに、第２金型の平面図を図７に示し、図７の第２金型におけるＦ−Ｆ線断面図を図８Ａに、Ｇ−Ｇ線断面図を図８Ｂに示す。なお、図１から図４に示す第１金型の断面は、図５の第１金型におけるＡ−Ａ線断面図となっており、また、第２金型の断面は、図７の第２金型におけるＡ−Ａ線断面図となっている。
【００５８】
まず、図１に示すように、本第１実施形態の射出成形同時加飾品の製造方法においては、射出成形同時加飾用金型を構成する第１金型１及び第２金型２の２つの金型が用いられ、夫々の金型１、２における凹部が形成された側の表面を互いに対向配置させるとともに、夫々の金型１、２の間に、樹脂成形品の表面に模様を付加するための加飾フィルム５を配置させて、第１金型１の前記凹部と加飾フィルム５の表面とで形成される成形空間内に溶融した成形樹脂を注入することで、当該成形樹脂の冷却固化とともに、加飾フィルム５と接触されている当該成形樹脂の表面に加飾が行なわれて、射出成形同時加飾品を得ることができる。
【００５９】
第１金型１は、図５、並びに図６Ａから図６Ｄに示すように、略四角形平板状の形状を有しており、その一方の表面における四周端部には第２金型２と直接接触される凸状部分の上面である基準面１１が、前記略四角形状の前記四周端部に沿って一続きに連なって形成されている。この基準面１１により囲まれた内側部分には、樹脂成形品の外形に適合した形状の凹部１２が形成されており、さらにこの凹部１２と基準面１１との間には、後述する加飾フィルム５への張力付与を行なう部分である張溝１５が、基準面１１の内周に沿って形成されている。
【００６０】
また、図５及び図６Ｄに示すように、第１金型１の上下左右の中心付近、すなわち、凹部１２の内底部の中心付近には、溶融された成形樹脂の注入を行なうための注入口であるゲート部１４が形成されている。なお、図５及び図６Ｂに示すように、本第１実施形態における第１金型１の凹部１２の内底部には、必要に応じてエアベントピン１９が設けられるが、このエアベントピン１９の構成については後述する。
【００６１】
一方、第２金型２は、図７、並びに図８Ａ及び図８Ｂに示すように、第１金型１に対応するように、略同じ大きさの外形を有し、略四角形平板状に形成されており、第１金型１の基準面１１と略同じ配置及び幅にて形成され、第１金型１の基準面１１と直接接触される凸状部分の上面である基準面２１が、その四方外周に一続きに連なって形成されている。さらに、この基準面２１により囲まれた内側部分には、樹脂成形品の外形に適合した形状の凹部２２と、後述する加飾フィルム５への張力付与を行なう部分である張溝１５とが形成されている。
【００６２】
このような構成を有する第１金型１と第２金型２とを夫々が備える基準面１１と基準面２１とが向き合うように（すなわち、基準面１１と基準面２１とが互いに合致可能なように）位置合わせを行なって対向配置させるとともに、第１金型１と第２金型２との間に加飾フィルム５を配置させた状態（図１に示す状態）とすると、第１金型１の凹部１２の内側空間と、第２金型２の凹部２２の内側空間とが、加飾フィルム５を介して接するように配置させることが可能となっている。このような状態より、さらに、第１金型１の基準面１１と、第２金型２の基準面２１とを、加飾フィルム５を介して当接させるように、第１金型１と第２金型２との型締めを行なうことで、加飾フィルム５と第１金型１との間に成形空間部３が形成される。この成形空間部３の空間形状、すなわち、当該空間の高さ、幅、及び厚みは、形成される樹脂成形品の所定の高さ、幅及び厚みに相当する。このように成形空間部３が形成されることにより、この成形空間部３内に溶融状態にある樹脂（成形樹脂）４を注入して、その後固化させることにより、所定寸法の射出成形同時加飾品１０を得ることができる。
【００６３】
ここで、第１金型１と第２金型２とが加飾フィルム５を挟んで型締め状態とされることにより形成される成形空間部３は、複数の空間部により構成されている。例えば、成形空間部３は、製品成形空間部、樹脂排出用空間部及び樹脂注入空間部により構成されている。このような成形空間部３における夫々の空間部の平面的な配置図を図９に示し、図９におけるＡ−Ａ線断面図を図１０に示し、これらの図面を用いて、夫々の空間部の配置について詳細に説明する。なお、図９における平面図は、加飾フィルム５の表面から、第１金型１を見た状態の第１金型の平面図上に、夫々の空間部を配置させたものである。また、図９は、夫々の空間部の配置を明確に示すことを目的とする図面であり、その理解を容易なものとするため、第１金型１の主要な構成のみを図示するものとし、細部の構成についてはその図示を一部省略している。また、図９及び図１０においては、夫々の空間部を視覚的に認識し易いように、ハッチング模様を付している。
【００６４】
図９及び図１０に示すように、第１金型１の凹部１２と加飾フィルム５とで囲まれて形成された成形空間部３においては、互いに接することなく略均等に配置された４つの製品成形空間部３１（第１の製品成形空間部及び第２の製品成形空間部の一例である）が配置されている。この製品成形空間部３１は、成形空間部により形成される樹脂成形品のうちの最終的な製品部分となる部分が形成される空間であり、このように４つの製品成形空間部３１が配置されているため、第１金型１及び第２金型２よりなる射出成形同時加飾用金型は、複数の製品を一度に成形することができる多面取りの金型となっている。
【００６５】
さらに、成形空間部３には、夫々の製品成形空間部３１の外周の一部と個別に連通かつ隣接配置された空間である樹脂注入用成形空間部３２（共通の樹脂注入用成形空間部の一例である）と樹脂排出用成形空間部３３（共通の樹脂排出用成形空間部の一例である）とが備えられている。樹脂注入用成形空間部３２は、第１金型１の略中央付近に配置された樹脂注入用のゲート部１４と連通されて配置されており、具体的には、図９に示すように、４つの製品成形空間部３１の夫々の間に平面的に略十字状に配置されている。一方、樹脂排出用成形空間部３３は、第１金型１の凹部１２の内側周部と４つの製品成形空間部３１との間に平面的に略Ｏ字状に配置されている。また、夫々の製品成形空間部３１と、樹脂注入用成形空間部３２と、樹脂排出用成形空間部３３との夫々の境界部分は、互いに仕切られることなく、互いに連通されており、ゲート部１４より樹脂注入用成形空間部３２に注入された樹脂は、樹脂注入用成形空間部３２自体を充填しながら、その一部が夫々の製品成形空間部３１に流れ込んで、夫々の製品成形空間部３１に充填されるとともに、さらに、夫々の製品成形空間部３１に流れ込んだ樹脂の一部は、樹脂排出用成形空間部３３に排出されるように流れ込むことが可能とされている。なお、図１０において、第１金型１の凹部１２と加飾フィルム５とで囲まれた空間が成形空間部３となっており、第２金型２の凹部２２と加飾フィルム５とで囲まれた空間が別途存在している。当該空間は、成形空間部３内への樹脂の注入によって加飾フィルム５が図示下方に押し付けられる、すなわち、第２金型２の凹部２２の内側底面に押し付けられることにより消滅することとなる空間である。また、樹脂注入用成形空間部３２と樹脂排出用成形空間部３３とは、夫々の製品成形空間部３１の外周を取り囲むように配置されていることから、樹脂注入用成形空間部３２と樹脂排出用成形空間部３３とにより、夫々の製品成形空間部３１を取り囲む外枠部分の空間である外枠成形空間部が構成されているということもできる。
【００６６】
このような夫々の空間配置に関連して、第２金型２の構成についてさらに説明する。図７及び図８Ａに示すように、第２金型２の凹部２２における内底面には、夫々の製品成形空間部３１に相当する部分の外周を取り囲むようにして配置されるとともに、対向配置される第１金型１側に向けて突出された仕切り凸部２３が形成されている。すなわち、夫々の製品成形空間部３１に相当する部分の外周全体を取り囲むようにして形成されている夫々の仕切り凸部２３は、樹脂注入用成形空間部３２及び樹脂排出用成形空間部３３と、夫々の製品成形空間部３１との境界付近近傍に配置されて形成されている。また、図７及び図８Ａに示すように、夫々の仕切り凸部２３における凸状の上面、及び夫々の仕切り凸部２３によって囲まれた成形空間部３における夫々の仕切り凸部２３の近傍には、複数の吸引ピン２５が設けられている。なお、夫々の吸引ピン２５には、図示しない吸引通路を介して吸引装置に接続されている。
【００６７】
夫々の製品成形空間部３１内に溶融状態の樹脂の注入が行なわれた際に、加飾フィルム５が引延ばされながら第２金型２の凹部２２の内底部に密着されることとなる。この際に、これらの仕切り凸部２３は、凸状の隆起部分の表面に加飾フィルム５を密着させることで、加飾フィルム５が密着させる表面積を増加させて、加飾フィルム５に弛み等が発生することを未然に防止するとともに、凹部２２の内底面への加飾フィルム５の密着状態の保持を行なうという機能を有している。さらに、夫々の仕切り凸部２３上、あるいはその近傍において夫々の吸引ピン２５が設けられていることにより、加飾フィルム５の前記夫々の凸状の隆起部分への密着及びこの密着状態の保持をより確実に行なうことができる。なお、本実施形態においては、夫々の仕切り凸部２３が、加飾フィルム５の弛みの除去を行ないながらその配置の保持を行なうフィルム保持部の一例となっており、さらに、夫々の吸引ピン２５が吸引部の一例となっている。
【００６８】
次に、第１金型１と第２金型２との型締めの際に、加飾フィルム５を介して互いに接触される基準面１１と基準面１２に設けられている凹状の溝部である張溝１５について説明する。張溝１５は、加飾フィルム５を第１金型１と第２金型２との間に配置した際に成形空間部３で生じた加飾フィルム５の弛みを緩和するために設けるものである。
【００６９】
ここで、第１金型１と第２金型２との間に加飾フィルム５が配置された型締め前の状態における夫々の張溝１５付近の部分拡大模式断面図を図１１Ａに示し、さらに、型締めされた状態の部分拡大模式断面図を図１１Ｂに示して、これらの図を用いて、張溝１５の機能について具体的に説明する。
【００７０】
図１１Ａに示すように、第１金型１の張溝１５には、この張溝１５における凹状の溝部と係合される係合部の一例である係合部材１６が係合されており、当該係合状態においてこの係合部材１６は、第２金型２の張溝１５とも係合可能に基準面１１よりも突出されている。また、図示下方に配置されている第２金型２上においては、加飾フィルム５が配置されているが、加飾フィルム５は弛みを有した状態とされている。
【００７１】
このような状態において、図１１Ｂに示すように、第１金型１と第２金型２との型締めを行なうと、係合部材１６の図示下部が第２金型２の張溝１５と係合されることとなるが、この際に、当該係合が加飾フィルム５を介して行なわれることより、加飾フィルム５の一部が第２金型２の張溝１５内に押し込まれて、前記弛みを吸収して、加飾フィルム５上に皺が生じないようにすることができる。
【００７２】
なお、本実施形態においては、第１金型１に張溝１５が形成され、この張溝１５に係合部材１６が係合されるような場合について説明したが、このような場合にのみ限定されるものではない。例えば、このような場合に代えて、第１金型１に予め凸状の隆起部分が形成されているような場合であってもよい。このような場合であっても、前記隆起部分を第２金型２の張溝１５に係合させることで、係合部材１６を用いる場合と同様な効果を得ることができるからである。
【００７３】
また、張溝１５は、成形空間部３の全外周に設けるのが好ましく、深さ０．５〜５ｍｍ、巾０．５〜７ｍｍの範囲で設けるのが好ましい。深さや巾が小さすぎると加飾フィルム５の弛みを緩和する効果が弱く、深さや巾が大きすぎると金型の強度を低下させるためである。
【００７４】
また、張溝１５は、Ａ金型１、Ｂ金型２の両方に設けてよいし、一方だけに設けてもよい。また、両方に設ける場合、深さや巾をそれぞれ異ならせてもよい。 
【００７５】
次に、第１金型１における樹脂排出用成形空間部３３に設けられる夫々のエアベントピン１９（エアベント部の一例である）について説明する。エアベントピン１９は、溶融した成形樹脂に含まれるガスを成形空間部３内から外部に効率的に逃がすために設けるものである。
【００７６】
その目的に添えば、図６Ｂに示すように、夫々のエアベントピン１９を設ける位置は、溶融した成形樹脂４の先端部が最後に充填される位置、すなわちゲート部１４から最遠の位置に配置されている樹脂排出用成形空間部３３になる。
【００７７】
ただ、実際上、樹脂排出用成形空間部３３に集まるガスよりも、夫々の製品成形空間部３１に僅かに残り得るガスの方が問題となる可能性が大きいので、当該僅かに残り得るガスを効率的に取り除くために製品成形空間部３１に近い位置における樹脂排出用成形空間部３３に設けた方が好ましい。
【００７８】
したがって、エアベントピン１９を、ゲート部１４から最遠の樹脂排出用成形空間部３３であって製品成形空間部３１と接する位置付近に設けることにより、樹脂排出用成形空間部３３に集束されたガスだけでなく、夫々の製品成形空間部３１に僅かに残ったガスをも逃がすことができる。
【００７９】
夫々のエアベントピン１９の形状、大きさ、位置、および製品成形空間部３１との接する巾は、夫々の製品成形空間部３１のサイズや形状、ゲート部１４からの距離、射出成形同時加飾用金型（すなわち、第１金型１及び第２金型２）の凹凸による成形樹脂４の流動抵抗の大小等に基づいて、適宜決定される。
【００８０】
また、設置されるエアベントピン１９の本数は、成形空間部３及び夫々の製品成形空間部３１の容積及びガスを排出すべき速度に基づいて、ガスがスムーズに排出されるように適宜決定される。
【００８１】
特に射出成形同時加飾法においては、加飾フィルム５とその凹部２２の内底面において接触される第２金型２からは成形樹脂４のガスが逃げにくいので、前記のような夫々のエアベントピン１９を設置することは有用であり、また、このように問題を解決できることから、ガス発生の多い成形樹脂４を用いることも可能となる。
【００８２】
また、図４に示すように、成形空間部３内に充填された樹脂により形成される射出成形同時加飾品１０は、製品成形空間部３１において充填された樹脂により形成される部分である製品成形品部３０と、樹脂注入用成形空間部３２において形成される部分である注入用空間成形品部４２と、樹脂排出用成形空間部３３において形成される部分である排出用空間成形品部４３とに分けることができる。なお、注入用空間成形品部４２及び排出用空間成形品部４３は、夫々の製品成形品部３０の周囲に配置されて形成されるため、これらの成形品部を併せて外枠成形品部４０ということができる。このような射出成形同時加飾品１０の成形において、夫々のエアベントピン１９が設けられることによって、図４に示すように、射出成形同時加飾品１０には複数のエアベント孔２０が形成される。このような夫々のエアベント孔２０は、射出成形後の後処理において、射出成形同時加飾品１０を、製品成形品３０と、外枠成形品部４０とに切断する際の位置決め用に用いることもできる。
【００８３】
また、エアベント孔２０が排出用空間成形品部４３に形成されるので、エアベント孔２０が外枠成形品部４０の一部として製品成形品部３０から分離処理することができ、製品成形品部３０に悪影響を与えることがないという利点を有する。
【００８４】
また、成形樹脂４としては、アクリル系樹脂、ポリカーボネート系樹脂、スチレン系樹脂、ポリアミド系樹脂、ノリル系樹脂、ポリエステル系樹脂、オレフィン系樹脂、ウレタン系樹脂、アクリロニトリルブタジエンスチレン系樹脂といった熱可塑性樹脂を用いることができる。
【００８５】
また、図４に示すように、第１金型１の凹部１２の内底部の周部近傍には、成形空間部３内にて形成された射出成形同時加飾品１０を押し出して、第１金型１の凹部１２から離型させる複数のエジェクタピン２４が備えられている。なお、このように夫々のエジェクタピン２４により離型が行なわれるような場合に代えて、エアベントピン１９に離型動作の機能を備えさせるような場合であってもよい。
【００８６】
次に、上述のような構成を有する第１金型１、第２金型２、及び加飾フィルム５を用いて、射出成形同時加飾品１０を製造する方法について詳細に説明する。
【００８７】
まず、図１に示すように、第１金型１と第２金型２とを夫々の凹部１２、２２が向き合うように対向配置させる（すなわち、図１においては、第２金型２の凹部２２を図示上向きとし、第１金型１の凹部１２を図示下向きとして対向配置させる）とともに、第１金型１と第２金型２との間に、加飾層５０が配置されている面が第１金型１側に配置されるように加飾フィルム５を配置させる。このとき、第１金型１の基準面１１と第２金型２の基準面２１とが互いに加飾フィルム５を介して合致するように夫々の金型１、２の位置決めを行なうとともに、夫々の金型１，２に対する加飾フィルム５の位置決めも併せて行なう。
【００８８】
この位置決めの後、図２に示すように、第１金型１と第２金型２とを加飾フィルム５を介して型締めする。この型締めにより、図９及び図１０に示すように、第１金型１の凹部１２と加飾フィルム５とにより成形空間部３、すなわち、夫々の製品成形空間部３１、樹脂注入用成形空間部３２及び樹脂排出用成形空間部３３が形成される。また、この型締めの際には、図１１Ａ及び図１１Ｂに示すように、第１金型１の張溝１５に係合された係合部材１６（図１及び図２においては図示しない）が、第２金型２の張溝１５に加飾フィルム５を介して係合されることで、加飾フィルム５に張力が付与されて、皺や弛み等が取り除かれる。
【００８９】
その後、図２に示すように、ゲート部１４から成形空間部３内への溶融された成形樹脂４の注入が開始される。この注入された成形樹脂４は、まず樹脂注入用成形空間部３２に注入され、加飾フィルム５を第２金型２側に押圧し、押された加飾フィルム５は仕切り凸部２３に当接するとともに、吸引ピン２５によって固定される。その後、溶融した成形樹脂４は、ゲート部１４近傍の樹脂注入用成形空間部３２を充填するとともに、近傍側の仕切り凸部２３を越えて夫々の製品成形空間部３１に進入する。
【００９０】
その際、溶融した成形樹脂４は、加飾フィルム５を仕切り凸部２３でもって押さえつつ、かつ徐々に引き伸ばしながら成形空間部３を充填していくので、加飾フィルム５は弛みにくくなる。したがって、夫々の仕切り凸部２３で囲まれた加飾フィルム５には小皺が発生しにくい。
【００９１】
その後、溶融した成形樹脂４が夫々の製品成形空間部３１を充填した後、あるいはこの充填とともに、夫々の製品成形空間部３１に注入された成形樹脂４の一部が樹脂排出用成形空間部３３に進入して、樹脂排出用成形空間部３３が成形樹脂４で充填されることとなる。これにより、成形空間部３は成形樹脂４で充填された状態とされる（図３参照）。また、このように充填される過程で、成形樹脂４によって発生したガスの多くは樹脂排出用成形空間部３３に集束されるとともに、夫々のエアベントピン１９により集束されたガスが成形空間部３の外部に排出される。さらに、夫々のエアベントピン１９が夫々の製品成形空間部３１の近傍における樹脂排出用成形空間部３３に設けられていることにより、夫々の製品成形空間部３１に僅かに残留するガスも、夫々のエアベントピン１９により外部に排出されて除去される。
【００９２】
ここで、成形空間部３に注入された成形樹脂４の流れを、成形空間部３の空間配置図（模式平面図）を用いて図１２に視覚的に示す。図１２に示すように、成形空間部３の略中央付近に配置されたゲート部１４から注入された溶融状態にある成形樹脂４は、まずゲート部１４と直接的に連通されている樹脂注入用成形空間部３２内に注入されるとともに、この注入された成形樹脂４は、ゲート部１４より略放射状に広がるような流れ方向Ｆ１（図中の矢印）にて、樹脂注入用成形空間部３２に充填される。この注入の進行の経過にしたがって、成形樹脂４は略放射状の流れ方向Ｆ１にて広がり、樹脂注入用成形空間部３２から夫々の製品成形空間部３１内に流れ込み、夫々の製品成形空間部３１を充填する。さらに、成形樹脂４は略放射状に広がって、夫々の製品成形空間部３１に注入された成型樹脂４の一部が、樹脂排出用成形空間部３３に排出されるように流れ込み、成形空間部３全体に成形樹脂４が充填される。
【００９３】
図１２に示すような略放射状の流れ方向Ｆ１で成形空間３内を広がるようにして成形樹脂４の注入が行なわれることで、発生するガスを成形樹脂４の注入の末端部分の空間部である樹脂排出用成形空間部３３に集めることが可能となるとともに、夫々の製品成形空間部３１において、注入された成形樹脂４同士がぶつかり合うような部分が生じることがなく、夫々の製品成形空間部３１にてウエルドが発生することを防止することができる。
【００９４】
このようにして成形空間部３に成形樹脂４の充填が行なわれた後、溶融状態にあった成形樹脂４は冷却固化される。その後、図４に示すように、第１金型１と第２金型２との型締めが解除されるとともに、夫々のエジェクタピン２４が突出されて、射出成形同時加飾品１０が離型される。加飾フィルム５における夫々の加飾層５０が基体シート５１より剥離されて、射出成形同時加飾品１０における加飾フィルム５と接触されていた表面に固着されることとなる。これにより、射出成形同時加飾品１０対する加飾が行なわれたこととなる。
【００９５】
このようにして形成された射出成形同時加飾品１０の模式平面図を図１３に示す。図１３に示すように、射出成形同時加飾品１０においては、夫々の製品成形品部３０、注入用空間成形品部４２、及び排出用成形品部４３の夫々の部分が一体的な状態として形成されている。また、夫々の製品成形品部３０の表面には、加飾層５０によりＮ字形状の模様が付されている。また、夫々の製品成形品部３０の周囲を取り囲むように、外枠成形品部４０には、第２金型２における夫々の仕切り凸部２３の跡である夫々の仕切り溝部１６が形成されている。夫々の仕切り溝部１６上あるいはその近傍においては、第２金型２における夫々の吸引ピン２５の跡である複数の吸引孔あるいは吸引凸部２６（吸引ピン２５の形状により、その跡部が孔状に形成される場合あるいは凸状に形成される場合のいずれもが考えられるからである。）が形成されている。さらに、外枠成形品部４０においては、夫々のエアベントピン１９の跡である複数のエアベント孔２０が形成されている。したがって、夫々の製品成形品部３０には、仕切り溝部１６や吸引孔あるいは吸引凸部２６やエアベント孔２０が形成されることはない。
【００９６】
このようにして得られた射出成形同時加飾品１０は、図１４及び図１５に示すように、注入用空間成形品部４２及び排出用空間成形品部４３と、夫々の製品成形品部３０との境界部分において所定寸法で切断されて、４個の製品成形品部３０（図１５参照）と外枠成形品部４０（図１４参照）とに分けられて、例えば、夫々の製品成形部３０が製品部分として得られる。なお、切断方法としては、切削加工、レーザ加工、トムソン加工、金型プレス加工、彫刻刃加工（熱加工含む）、高周波加工等がある。なお、図１３及び図１５においては、夫々の成形品部の区分等を容易に認識することができるように、ハッチング模様を付している。
【００９７】
次に、本実施形態において使用される加飾フィルム５の構造について説明する。図１６に示すように、加飾フィルム５は、基体シート５１およびこの基体シート５１上に設けられた加飾層５０から形成され、加飾層５０は、絵柄層５２（前記Ｎ字形状の模様を構成する部分）と、接着層５３等とからなる。
【００９８】
基体シート５１としては、ポリカーボネート樹脂、ポリアミド樹脂、ポリイミド樹脂、ポリエステル樹脂、アクリル樹脂、オレフィン樹脂、ウレタン樹脂、アクリロニトリルブタジエンスチレン樹脂等から選択される単層フィルム、または前記の中から選択された２種以上の樹脂による積層フィルムまたは共重合フィルムがある。
【００９９】
基体シート５１の厚みとしては、５〜５００μｍが好ましい。５μｍ未満のシートでは、夫々の金型１、２間への配置及び型締め等の金型へのセット時における取り扱い性が悪くなって、その後の成形工程が不安定となることが考えられ、５００μｍを越える基体シート５１では、剛性がありすぎるため、夫々の仕切り凸部２３への密着性が低下し、射出成形同時加飾品１０の表面に加飾フィルム５の皺跡等が生じるような場合がある。
【０１００】
基体シート５１上には、加飾層５０が強固に密着するよう易接着層を形成しても良い。易接着層の材質としては、ポリエステル系樹脂、アクリル系樹脂、オレフィン系樹脂、ウレタン系樹脂等がある。易接着層を設ける方法としては、グラビア印刷、スクリーン印刷、オフセット印刷法等の汎用印刷方法のほか、各種コーティング法のいずれでも構わない。
【０１０１】
基体シート５１上には、文字、幾何学模様、ベタ等の絵柄層５２が形成される。この絵柄層５２の材質としては、アクリル系樹脂、硝化綿系樹脂、ポリウレタン系樹脂、塩化ゴム系樹脂、塩化ビニル−酢酸ビニル共重合系樹脂、ポリアミド系樹脂、ポリエステル系樹脂、エポキシ系樹脂などを挙げることができるが、特に限定されない。
【０１０２】
また、絵柄層５２には、真空蒸着やメッキ等の方法によって、アルミニウム、クロム、銅、ニッケル、インジウム、錫、酸化珪素などの金属膜層を設けてもよい。この場合、金属膜層は全面でもパターン状でもよい。
【０１０３】
絵柄層５２の膜厚は０．５μｍ〜５０μｍが好ましい。膜厚が０．５μｍより薄いと、十分な意匠性が得られないという問題があり、５０μｍより厚いと、印刷後に乾燥し難いという問題があるためである。但し、金属膜層の場合は５０Å〜１２００Åが好ましい。金属膜層の膜厚が５０Åより薄いと、十分な金属光沢感が得られないという問題があり、１２００Åより厚いと、クラックが生じやすいという問題があるためである。
【０１０４】
絵柄層５２を全面またはパターンで設ける方法としては、グラビア印刷、スクリーン印刷、オフセット印刷法等の汎用印刷方法、タンポ印刷、塗装、各種コーティング法、蒸着、イオンプレーティング、スパッタ法等の金属膜形成法等がある。
【０１０５】
接着層５３は、加飾フィルム５と成形樹脂４を接合する作用を有するものである。接着層５３の材質としては、アクリル系樹脂、硝化綿系樹脂、ポリウレタン系樹脂、塩化ゴム系樹脂、塩化ビニル−酢酸ビニル共重合系樹脂、ポリアミド系樹脂、ポリエステル系樹脂、エポキシ系樹脂、ポリカーボネート系樹脂、オレフィン系樹脂、アクリロニトリルブタジエンスチレン樹脂等を用いるのが良い。
【０１０６】
接着層５３の厚みは、０．５〜５０μｍが好ましい。膜厚が０．５μｍより薄いと、十分な接着性が得られないという問題があり、５０μｍより厚いと、印刷後に乾燥し難いという問題があるためである。接着層５３の形成方法は、グラビア印刷、オフセット印刷、スクリーン印刷などの汎用印刷方法でも、塗装、ディッピング、リバースコーターなどいずれの方法でもよい。
【０１０７】
なお、加飾フィルム５における加飾層５０のみを成形樹脂４と接合させる場合には、図１７に示すように、基体シート５１と絵柄層５２との間に剥離層５４を設けてもよい。あるいは、基体シート５１に離型層５５を設けて離型性のある基体シートとしてもよい。
【０１０８】
剥離層５４の材質としては、アクリル系樹脂、硝化綿系樹脂、ポリウレタン系樹脂、塩化ゴム系樹脂、塩化ビニル−酢酸ビニル共重合系樹脂、ポリアミド系樹脂、ポリエステル系樹脂、エポキシ系樹脂、ポリカーボネート系樹脂、オレフィン系樹脂、アクリロニトリルブタジエンスチレン樹脂等を用いるのが良い。
【０１０９】
剥離層５４の厚みは、０．５〜５０μｍが好ましい。膜厚が０．５μｍより薄いと、十分な接着性が得られないという問題があり、５０μｍより厚いと、印刷後に乾燥し難いという問題があるためである。離型層５５の形成方法は、グラビア印刷、オフセット印刷、スクリーン印刷などの汎用印刷方法でも、塗装、ディッピング、リバースコーターなどいずれの方法でもよい。
【０１１０】
離型層５５の材質としては、アクリル系樹脂、硝化綿系樹脂、ポリウレタン系樹脂、塩化ゴム系樹脂、塩化ビニル−酢酸ビニル共重合系樹脂、ポリアミド系樹脂、ポリエステル系樹脂、エポキシ系樹脂、ポリカーボネート系樹脂、オレフィン系樹脂、アクリロニトリルブタジエンスチレン樹脂等を用いるのが良い。
【０１１１】
離型層５５の厚みは、０．５〜５０μｍが好ましい。膜厚が０．５μｍより薄いと、十分な接着性が得られないという問題があり、５０μｍより厚いと、印刷後に乾燥し難いという問題があるためである。離型層５５の形成方法は、グラビア印刷、オフセット印刷、スクリーン印刷などの汎用印刷方法でも、塗装、ディッピング、リバースコーターなどいずれの方法でもよい。
【０１１２】
なお、図１６に示すような構造の加飾フィルム５においては、夫々の絵柄層５２により所定の模様を形成するために、基体シート５１あるいは接着層５３を透明あるいは半透明状とすることが望ましく、また、図１７に示すような構造の加飾フィルム５においては、剥離層５４や接着層５３を透明あるいは半透明状とすることが好ましい。
【０１１３】
第２実施形態
【０１１４】
なお、本発明は第１実施形態に限定されるものではなく、その他種々の態様で実施できる。例えば、本発明の第２の実施形態にかかる射出成形同時加飾品の製造方法は、第１実施形態と略同様な構成を有する第１金型及び第２金型、並びに加飾フィルムを用いる点においては同様な手法であると言えるものの、加飾フィルムを間に配置した状態で第１金型と第２金型とを対向配置させて、型締めを行なわず、夫々の金型を開放させた状態にて、成形樹脂の注入を行なう点において、第１実施形態の手法とは異なっている。すなわち、本第２実施形態においては、第１金型と加飾フィルムとの間に形成された成形空間部を、開放状態（すなわち、開放空間とした状態）において成形樹脂の注入を行ない、その後、夫々の金型の型締めを行なうことで、成形空間部の容積を縮小させて、当該成形空間部内に充填された成形樹脂の圧縮を行なうという、いわゆる圧縮方式による射出成形（射出圧縮成形）を採用している点において、密閉状態の成形空間部に成形樹脂の注入を行ない、その後、成形空間部の容積の縮小変化を伴わない射出成形を行なう第１実施形態とは異なっている。以下、この異なる部分についての説明を主として行なうものとし、第１実施形態と同じ部分については，第１実施形態の記載を参照されるものとする。なお、本第２実施形態における夫々の金型や加飾フィルムの構成の中で、第１実施形態と同様な構成部分については、その構成の理解を容易なものとするために、第１実施形態と同じ参照符号を付している。
【０１１５】
まず、本第２実施形態にかかる射出成形同時加飾品の製造方法を模式的に示す模式説明図として、第１金型と第２金型との模式断面図を図１８、図１９、図２０及び図２１に示す。また、この第１金型の模式平面図を図２２に示す。
【０１１６】
第１金型７１は、図２２に示すように、第１実施形態の第１金型１と同様に略四角形平板状の形状を有しており、その四周端部には第２金型７２と直接接触する基準面１１を備える。この基準面１１により囲まれた内側部分には、樹脂成形品の外形に適合した形状の凹部１２と、金型タッチセンサー７７と、張溝１５とが形成されている。金型タッチセンサー７７は、互いに対向配置された第１金型７１と第２金型７２との型締めが完全になされる前に、第２金型７２の基準面２１と接触させることで金型タッチの状態にし、第１金型７１と第２金型７２との間隔寸法を所定の寸法とした状態に保ちながら、成形樹脂４を射出させるためのセンサーである。なお、本第２実施形態においては、金型タッチセンサー７７が第１金型７１に設けられる場合について説明するが、このような場合に代えて、金型タッチセンサー７７が第２金型７２の側に設けられるような場合であってもよい。なお、その他の部分における第１金型７１の構造及び第２金型７２の構造は、第１実施形態の第１金型１及び第２金型２と同様な構造となっている。
【０１１７】
また、このような構成を有する第１金型７１と第２金型７２とがその間に加飾フィルム５を位置させながら対向配置されることで、図１９に示すように、第１実施形態と同様に成形空間部８３を形成することができる。また、この成形空間部８３は、夫々の製品成形空間部９１、樹脂注入用成形空間部９２及び樹脂排出用成形空間部９３により構成される点、並びに夫々の成形空間部の平面的配置の点においても第１実施形態と同様である。
【０１１８】
このような構成を有する第１金型７１、第２金型７２、及び加飾フィルム５を用いて、射出成形同時加飾品８０を製造する方法について詳細に説明する。
【０１１９】
まず、図１８に示すように、第１金型７１と第２金型７２とを夫々の凹部１２、２２が向き合うように対向配置させるとともに、第１金型７１と第２金型７２との間に、加飾層５０が配置されている面が第１金型７１側に配置されるように加飾フィルム５を配置させる。このとき、夫々の基準面１１、２１の位置決めを行なうとともに、加飾フィルム５の位置決めをも併せて行なう。
【０１２０】
この位置決めの後、図１９に示すように、第１金型７１と第２金型７２とを近接させて、第１金型７１の基準面１１に備えられている金型タッチセンサー７７の先端が、第２金型７２の基準面２１に直接的あるいは加飾フィルム５を介して接触させる。この接触が図示しない制御装置において検出されると、前記近接が停止されて、第１金型７１と第２金型との間に所定の間隔寸法が保持される。
【０１２１】
この保持状態において、図１９に示すように、開放された状態が保たれている成形空間部８３内への溶融された成形樹脂４の注入が開始される。ゲート部１４から注入された成形樹脂４は、まず樹脂注入用成形空間部９２に注入され、加飾フィルム５を第２金型７２側に押圧し、押された加飾フィルム５は仕切り凸部２３に当たり、吸引ピン２５によって固定される。その後、溶融した成形樹脂４は、型締めによって、ゲート部１４近傍の樹脂注入用成形空間部９２を充填するとともに、近傍側の仕切り凸部２３を越えて製品成形空間部９１に進入する。
【０１２２】
その際、溶融した成形樹脂４は、加飾フィルム５を仕切り凸部２３でもって押さえつつ、かつ引き伸ばしながら成形空間部８３を充填していくので、加飾フィルム５は弛みにくくなる。したがって、仕切り凸部２３で囲まれた加飾フィルム５には小皺が発生しにくい。
【０１２３】
その後、図２０に示すように、溶融した成形樹脂４が製品成形空間部８１を充填した後、あるいはこの充填とともに、製品成形空間部８１に充填された成形樹脂４の一部が樹脂排出用成形空間部９３に進入し、成形空間部８３全体が成形樹脂４で充填される。この充填ともに、前記所定の間隔寸法が保持された状態にある第１金型７１と第２金型７２とが互いにさらに近接されて、加飾フィルム５を介して、第１金型７１の基準面１１と、第２金型７２の基準面２１とが当接される。これにより、成形樹脂４が充填された状態の成形空間部８３の容積が縮小されるとともに、成形空間部８３が開放状態から密閉状態とされる。これにより、成形空間部８３内に充填された成形樹脂４が圧縮されて、成形空間部８３の隅々にまで行き渡るように充填されるとともに、成形樹脂４が高密度化される。また、このように充填される過程で、成形樹脂４によって発生したガスの多くは樹脂排出用成形空間部９３に集束される。また、ウエルドが発生するような場合であっても、ウエルドの発生箇所は樹脂排出用成形空間部９３内に移動する。なお、上述した成形樹脂４の充填の際における成形空間部８３内に充填された成形樹脂４の流れ方向は、第１実施形態において説明した流れ方向Ｆ１と同様となる（図１２参照）。
【０１２４】
このようにして成形空間部８３に成形樹脂の充填が行なわれた後、溶融状態にあった成形樹脂４は冷却固化される。その後、図２１に示すように、第１金型７１と第２金型７２との型締めが解除されるとともに、夫々のエジェクタピン２４が突出されて、射出成形同時加飾品８０が離型される。加飾フィルム５における夫々の加飾層５０が基体シート５１より剥離されて、射出成形同時加飾品８０における加飾フィルム５と接触されていた表面に固着されることとなる。これにより、射出成形同時加飾品８０に対する加飾が行なわれたこととなる。
【０１２５】
その後、射出成形同時加飾品８０は、第１実施形態と同様に、夫々の製品成形品部と外枠成型品部とに切断されて、夫々の製品成形品部が製品として得られることとなる。
【０１２６】
第２実施形態によれば、成形空間部８３内への成形樹脂４の注入の際に、成形空間部８３が開放された状態とされ、成形樹脂４の充填の後、開放状態とされていた第１金型７１と第２金型７２とが型締めされて、成形空間部８３が密閉状態とされるとともに、成形空間部８３の容積が縮小されるため、充填されている成形樹脂４を圧縮して成形空間部８３の隅々にまで行き渡らせることができる。このような効果は、特に、成形空間部８３が薄型の空間で、均一な状態での成形樹脂４の注入に困難性を有するような場合に特に有効である。また、成形樹脂４を圧縮することができるため、高密度な成形品を形成することができ、例えば、射出成形同時加飾品８０が、光学レンズ等の光学系の部品等である場合の製造方法として適している。
【０１２７】
なお、第２実施形態においては、第１金型７１と第２金型７２とが所定の間隔寸法を保って成形空間部８３を開放状態として、成形樹脂４の注入を行ない、その後、第１金型７１と第２金型７２とを型締めして成形空間部８３の容積を縮小させるとともに、密閉させるような射出圧縮成形について説明したが、射出圧縮成形はこのような場合のみに限られるものではない。このような場合に代えて、例えば、第１金型の一部を移動可能な構成として、第１金型と第２金型とを型締め状態にて、密閉された成形空間部を形成した後、成形樹脂の注入を行ない、その後、前記第１金型の一部を移動させることで、成形空間部の容積を縮小させることで、充填された成形樹脂に対する圧縮を行なうような場合であってもよい。
【実施例】
【０１２８】
（成形空間部の実施例）
次に、本発明の夫々の実施形態において説明した第１金型と加飾フィルムにより形成される成形空間部の配置についての様々な実施例について空間配置図を用いて説明する。
【０１２９】
実施例１：実施例１にかかる成形空間部１２０の空間配置図（模式平面図）を図２３に示す。図２３に示すように、成形空間部１２０は、１つの製品成形空間部１２１、樹脂注入用成形空間部１２２及び樹脂排出用成形空間部１２３により形成されている。具体的には、平面的に略方形状の空間である製品成形空間部１２１の図示下方の端部に隣接かつ連通されるように、平面的に略三角形状の空間形状を有する樹脂注入用成形空間部１２２が配置されるとともに、製品成形空間部１２１の残りの三辺端部に隣接かつ連通するように、樹脂排出用成形空間部１２３が配置されている。さらに、樹脂注入用成形空間部１２２の図示下方近傍には、ゲート部１２４が配置されている。
【０１３０】
成形空間部１２０がこのような構成とされていることにより、ゲート部１２４より樹脂注入用成形空間部１２２内に注入された成形樹脂は、図２３において成形樹脂の流れ方向Ｆ３に示すように、ゲート部１２４より隣接する製品成形空間部１２１に向かうように略放射状に広がりながら、樹脂注入用成形空間部１２２内に充填される。さらに、樹脂注入用成形空間部１２２に充填された成形樹脂が、製品成形空間部１２１内に流れ込んで、製品成形空間部１２１内に充填される。その後、この充填された成形樹脂の一部が製品成形空間部１２１より樹脂排出用成形空間部１２３へと流れ込み、成形空間部１２０全体に成形樹脂が充填されることとなる。
【０１３１】
前記実施例１によれば、成形空間部１２０において、成形樹脂を放射状に広がらせながら、発生するガスを樹脂排出用成形空間部１２３に集めることができるとともに、製品成形空間部１２１内においてはウエルドを発生させることもない。さらに、ゲート部１２４が樹脂注入用成形空間部１２２に配置されていることにより、加飾が施される製品成形空間部１２１をゲート部１２４から離して配置させることができ、ゲート部１２４から高圧の成形樹脂の注入が行なわれることに伴う、加飾層の破壊（例えば、インキ流れ）を起こりにくくし、確実な加飾を行なうことが可能となる。また、製品成形空間部１２１内にて形成される成形品の表面にゲート部１２４の跡が残ることもないため、例えば、製品成形空間部１２１により形成される成形品の略全体を占めるように視認用の透明窓部分１２１ａを形成することが可能となる。
【０１３２】
実施例２：次に、実施例２にかかる成形空間部１４０の空間配置図を図２４に示す。図２４に示すように、成形空間部１４０は、互いに並べて配置された２つの製品成形空間部１４１と、夫々の製品成形空間部１４１の間に配置され、夫々の製品成形空間部１４１と隣接かつ連通された樹脂注入用成形空間部１４２と、樹脂注入用成形空間部１４２が配置されている部分を除いて、夫々の製品成形空間部１４１の周囲を囲むように隣接かつ連通されて配置された２つの樹脂排出用成形空間部１４３とにより形成されている。また、樹脂注入用成形空間部１４２における略中央付近にはゲート部１４４が配置されている。
【０１３３】
成形空間部１４０がこのような構成とされていることにより、ゲート部１４４より樹脂注入用成形空間部１４２内に注入された成形樹脂は、ゲート部１４４より略放射状に広がりながら、樹脂注入用成形空間部１４２内に充填される。さらに、樹脂注入用成形空間部１４２に充填された成形樹脂が、夫々の製品成形空間部１４１内に流れ込んで、夫々の製品成形空間部１４１内に充填される。その後、この充填された成形樹脂の一部が各々の製品成形空間部１４１より各々の樹脂排出用成形空間部１４３へと流れ込み、成形空間部１４０全体に成形樹脂が充填されることとなる（図２４に示す成形樹脂の流れ方向Ｆ５を参照）。
【０１３４】
前記実施例２によれば、前記実施例１と同様な効果を得ることができるとともに、製品成形空間部１４１が２つ配置されているような場合でありながら、ゲート部１４４を１つのみ備えさせる構成を可能とすることができ、ゲート部１４４への成形樹脂の注入経路であるスプルーランナーを簡素化することができる。これにより、スプルーランナーに残留する成形樹脂量を低減することができる。また、夫々の製品成形空間部１４１内にて形成される成形品の表面にゲート部１４４の跡が残ることもないため、例えば、夫々の製品成形空間部１４１により形成される成形品の略全体を占めるように視認用の透明窓部分１４１ａを形成することが可能となる。
【０１３５】
実施例３：また、上述のような夫々の実施例にかかる成形空間部の配置構成は、製品成形空間部の個数に限定されることなく、さらに多数の製品成形空間部が備えられるような場合にも適用することができる。例えば、実施例３にかかる成形空間部２１０の空間配置図を図２５に示す。
【０１３６】
図２５に示すように、製品成形空間部２１１が６個備えられているような場合であっても、前記夫々の実施例の効果を有するような成形空間部を形成することができる。
【０１３７】
（成形品の形態）
次に、上述のような夫々の実施形態等の製造方法により形成される射出成形同時加飾品の様々な形態例について、図２６Ａ、図２６Ｂ、図２６Ｃ及び図２６Ｄに示す射出成形同時加飾品の模式図を用いて説明する。
【０１３８】
まず、図２６Ａに示す射出成形同時加飾品３０１は、透明窓部分を備えていないような成形品である。例えば、その表面にウエルドや樹脂焼け等の跡を残したくないような自動車部品、家電、建材、生活用品等の成形品や、その他一般的な成形品がある。
【０１３９】
次に、図２６Ｂに示す射出成形同時加飾品３０２は、透明窓部分３０２ａが成形品の略全体に渡って形成されるような成形品である。このような透明部分３０２ａは、一般的に視認用として形成されるものであり、その表面及び内部にウエルドや樹脂焼け等の跡を残したくない部分であり、なおかつ、薄型部分とされるという特徴を有している。このような射出成形同時加飾品３０２としては、例えば、携帯電話等の携帯情報端末の情報表示窓部分や、パーソナルコンピュータや小型テレビ等のディスプレイ部分がある。
【０１４０】
次に、図２６Ｃに示す射出成形同時加飾品３０３は、透明窓部分３０３ａが成形品のごく一部に形成されるような成形品である。このような透明部分３０３ａは、一般的に視認用として形成されるものであり、その表面及び内部にウエルドや樹脂焼け等の跡を残したくない部分であり、なおかつ、薄型部分とされるという特徴を有している。このような射出成形同時加飾品３０３としては、例えば、電化製品（炊飯器、洗濯機等）等の入力パネル部分がある。
【０１４１】
次に、図２６Ｄに示す射出成形同時加飾品３０４は、その全体が透明窓部分として形成されるような成形品である。このような射出成形同時加飾品３０４としては、光学製品、例えば、レンズ等がある。
【０１４２】
（仕切り凸部の形態）
次に、前記夫々の実施形態において用いられている第２金型２、７２に形成された仕切り凸部２３の様々な形態例について説明する。
【０１４３】
図７に示す第１実施形態の第２金型２においては、夫々の製品成形空間部３１の周囲全体を囲むように、夫々の仕切り凸部２３が配置されている場合について説明したが、仕切り凸部２３の配置はこのような場合についてのみ限られるものではなく、その他様々な配置を採用することができる。
【０１４４】
例えば、図２７に示すように、夫々の製品成形空間部３１の周囲を囲むように配置されるものの、夫々の製品成形空間部３１の角部分においてのみ配置されないように夫々の仕切り凸部３５１が形成されるような場合であってもよい。
【０１４５】
また、図２８に示すように、夫々の製品成形空間部３１の周囲を略囲むように配置されるものの、連続して形成された凸状の隆起部分と、断続的に形成された隆起部分とが組み合わせて夫々の仕切り凸部３５２が形成されるような場合であってもよい。
【０１４６】
また、図２９に示すように、夫々の製品成形空間部３１の周囲を略円状の不連続の隆起部分で囲むように夫々の仕切り凸部３５３が形成されるような場合であってもよい。
【０１４７】
また、図３０に示すように、夫々の製品形成空間部３１を２重に囲み、かつ、当該２重の夫々の隆起部分の配置パターンが異なるように、夫々の仕切り凸部３５４が形成されるような場合であってもよい。
【０１４８】
さらに、図３１に示すように、隆起部分の幅が箇所によって異なるように、夫々の仕切り凸部３５５が形成されるような場合であってもよい。
【０１４９】
特に、加飾フィルム５の弛みの生じやすさは、成形品の形状や箇所によって多少異なる場合があるため、仕切り凸部の形態を前記成形品の形状等に応じて変えることにより、加飾フィルム５における弛みの発生を防止することができる。また、皺や弛みが生じ易い場合には、連続的で２列に配置するとともに、その隆起部分の幅を大きくすることで対処することができる。なお、このような皺や弛みが生じ難い場合には、１列にて形成するか、あるいは、仕切り凸部自体を設けないこともできる。
【０１５０】
（吸引ピンの配置形態）
次に、前記夫々の実施形態における第２金型２、７２に形成されている夫々の吸引ピン２５の様々な配置形態のバリエーションについて説明する。
【０１５１】
例えば、図３２に示すように、仕切り凸部２３の内側において、４隅部分及び各辺の中央付近に夫々の吸引ピン２５を配置することができる。
【０１５２】
また、図３３に示すように、仕切り凸部２３の内側において、製品成形空間部３１との間の領域に略均一に配置させるように多数の吸引ピン２５を配置させることもできる。
【０１５３】
また、図３４に示すように、仕切り凸部２３が存在しないような場合にあっては、製品成形空間部３１の外周近傍に均等に夫々の吸引ピン２５を配置させることができる。
【０１５４】
また、図３５に示すように、仕切り凸部２３の内周と、製品成形空間部３１の外周との間の領域が大きいような場合にあっては、仕切り凸部２３の近傍と製品成形空間部３１の近傍との夫々に吸引ピン２５を配置させることで、確実な加飾フィルム５の保持を行なうことができる。
【０１５５】
また、このような場合においては、図３６に示すように、仕切り凸部２３の４つの隅部分における内周側及び外周側の夫々に吸引ピン２５を設けるような場合であってもよい。
【０１５６】
特に、加飾フィルム５の第２金型２への追随性は箇所によって異なる場合があるが、製品成形空間部３１内においては皺や弛みが生じないようにする必要がある。仕切り凸部２３の近傍であって、しかも隅部分ほど、加飾フィルム５の金型への追随性が悪くなるため、このような部分に吸引ピン２５を設けることが望ましい。また、皺等の発生を防止したい対象部分である製品成形空間部３１の近傍に夫々の吸引ピン２５を設置することが好ましい。
【０１５７】
（張溝の配置態様）
次に、前記夫々の実施形態における夫々の金型１、２、７１、７２の周部に形成されている張溝１５の様々な配置形態について説明する。
【０１５８】
例えば、金型の全周に形成されているような場合に代えて、図３７に示すように、加飾フィルム５の送り方向である図示上下方向沿いに配置される張溝１５を連続的に形成し、前記送り方向と直行する方向である加飾フィルム５の幅方向沿いに配置される張溝１５を不連続的に形成するような場合であってもよい。
【０１５９】
また、図３８に示すように、加飾フィルム５の送り方向と幅方向とで、張溝１５の幅を変えることもできる。例えば、前記送り方向沿いに配置される張溝１５は、前記幅方向沿いに配置される張溝１５の幅よりも大きな幅で形成するとともに、成形空間部３の近傍に形成し、前記幅方向沿いに配置される張溝１５は成形空間部３からやや離れて形成することができる。また、図３９に示すように、図３８に示す張溝１５の４隅部分を円形に変形させるようなこともできる。
【０１６０】
加飾フィルム５の弛みは、加飾フィルム５に張力がかかる送り方向と幅方向とによって異なり、成形品の形状や、張溝１５の太さ、形状、さらに成形空間部３までの距離によっても異なる。そのため、このような張溝１５の配置態様を採用することで、夫々の弛み状況に応じて、張溝１５の最適な態様を選択して、できる限り弛みが生じないようにすることができる。また、張溝１５の配置態様は、上述のような場合のみに限られず、２列のみ備えさせるような場合、あるいは形成しないような場合であってもよい。
【０１６１】
なお、前記様々な実施形態のうちの任意の実施形態を適宜組み合わせることにより、それぞれの有する効果を奏するようにすることができる。
【０１６２】
本発明は、添付の図面を参照しながら好ましい実施形態に関連して十分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【図面の簡単な説明】
【０１６３】
【図１】本発明の第１実施形態にかかる射出成形同時加飾品の製造方法を示す模式断面図であり、成形樹脂の注入前の状態を示す。
【図２】第１実施形態の射出成形同時加飾品の製造方法において成形樹脂の注入状態を示す模式断面図である。
【図３】第１実施形態の射出成形同時加飾品の製造方法において成形樹脂が充填された状態を示す模式断面図である。
【図４】第１実施形態の射出成形同時加飾品の製造方法において成形品が離型される状態を示す模式断面図である。
【図５】第１実施形態の第１金型の模式平面図である。
【図６】図６Ａ、図６Ｂ、図６Ｃ及び図６Ｄは、図５の第１金型における模式断面図であり、図６ＡはＢ−Ｂ線断面図であり、図６ＢはＤ−Ｄ線断面図であり、図６ＣはＣ−Ｃ線断面図であり、図６ＤはＥ−Ｅ線断面図である。
【図７】第１実施形態の第２金型の模式平面図である。
【図８】図８Ａ及び図８Ｂは、図７の第２金型における模式断面図であり、図８ＡはＦ−Ｆ線断面図であり、図８ＢはＧ−Ｇ線断面図である。
【図９】第１実施形態における成形空間部の空間平面配置図である。
【図１０】図９のＡ−Ａ線断面における空間配置図である。
【図１１】図１１Ａ及び図１１Ｂは、第１実施形態における張溝を示す部分拡大断面図であり、図１１Ａは係合部材が係合される前の状態を示し、図１１Ｂは係合部材が係合された状態を示す。
【図１２】第１実施形態の成形空間部における成形樹脂の流れ方向を示す空間配置図である。
【図１３】第１実施形態の射出成形同時加飾品の模式平面図である。
【図１４】第１実施形態の外枠成形品部の模式平面図である。
【図１５】第１実施形態の夫々の製品成形品部の模式平面図である。
【図１６】第１実施形態の加飾フィルムの構造を示す模式断面図である。
【図１７】第１実施形態の別の例にかかる加飾フィルムの模式断面図である。
【図１８】本発明の第２実施形態にかかる射出成形同時加飾品（射出圧縮成形同時加飾品）の製造方法を示す模式断面図であり、成形樹脂の注入前の状態を示す。
【図１９】第２実施形態の射出成形同時加飾品の製造方法において成形樹脂の注入状態を示す模式断面図である。
【図２０】第２実施形態の射出成形同時加飾品の製造方法において成形樹脂が充填されるとともに圧縮された状態を示す模式断面図である。
【図２１】第２実施形態の射出成形同時加飾品の製造方法において成形品が離型される状態を示す模式断面図である。
【図２２】第２実施形態の第１金型の模式平面図である。
【図２３】実施例１にかかる成形空間部の空間配置図である。
【図２４】実施例２にかかる成形空間部の空間配置図である。
【図２５】実施例３にかかる成形空間部の空間配置図である。
【図２６】図２６Ａ、図２６Ｂ、図２６Ｃ及び図２６Ｄは、夫々の実施形態における射出成形同時加飾品の模式平面図であり、図２６Ａは透明窓部分を有さない成形品であり、図２６Ｂは略全体に渡るような透明窓部分を有する成形品であり、図２６Ｃはその一部に透明窓部分を有する成形品であり、図２６Ｄは全体が透明に形成されている成形品である。
【図２７】夫々の実施形態にかかる仕切り凸部の形態の一例を示す模式平面図である。
【図２８】仕切り凸部の形態の別の一例を示す模式平面図である。
【図２９】仕切り凸部の形態の別の一例を示す模式平面図である。
【図３０】仕切り凸部の形態の別の一例を示す模式平面図である。
【図３１】仕切り凸部の形態の別の一例を示す模式平面図である。
【図３２】夫々の実施形態にかかる吸引ピンの配置態様の一例を示す模式平面図である。
【図３３】吸引ピンの配置態様の別の一例を示す模式平面図である。
【図３４】吸引ピンの配置態様の別の一例を示す模式平面図である。
【図３５】吸引ピンの配置態様の別の一例を示す模式平面図である。
【図３６】吸引ピンの配置態様の別の一例を示す模式平面図である。
【図３７】夫々の実施形態にかかる張溝の配置態様の一例を示す模式平面図である。
【図３８】張溝の配置態様の別の一例を示す模式平面図である。
【図３９】張溝の配置態様の別の一例を示す模式平面図である。
【図４０】図４０Ａ及び図４０Ｂは、従来の射出成形品の製造方法を示す図であり、図４０Ａは金型の断面図であり、図４０Ｂは金型内における成形樹脂の流れ方向を示す図である。
【図４１】従来の射出成形品においてウエルドが生じた状態を示す図である。
【図４２】従来の射出成形品において樹脂焼けが生じた状態を示す図である。
【符号の説明】
【０１６４】
１  第１金型（Ａ金型）
１０  射出成形同時加飾品
１１  基準面
１２  凹部
１４  ゲート部
１５  張溝
１６  係合部材
１９  エアベントピン
１２０  成形空間部
１２１  製品成形空間部
１２２  樹脂注入用成形空間部
１２３  樹脂排出用成形空間部
１４０  成形空間部
１４１  製品成形空間部
１４１a  透明窓部分
１４２  樹脂注入用成形空間部
１４３  樹脂排出用成形空間部
１４４  ゲート部
２  第２金型（Ｂ金型）
２０  エアベント孔
２１  基準面
２２  凹部
２３  凸部
２４  エジェクタピン
２５  吸引ピン
２６  吸引凸部
２１０  成形空間部
２１１  製品成形空間部
３  成形空間部
３０  製品成形品部
３１  製品成形空間部
３２  樹脂注入用成形空間部
３３  樹脂排出用成形空間部
３０１  射出成形同時加飾品
３０２  射出成形同時加飾品
３０２a  透明窓部分
３０３  射出成形同時加飾品
３０３a  透明窓部分
３０４  射出成形同時加飾品
３５１  仕切り凸部
３５２  仕切り凸部
３５３  仕切り凸部
３５４  仕切り凸部
３５５  仕切り凸部
４  樹脂（成形樹脂）
４０  外枠成形品部
４２  注入用空間成形品部
４３  排出用空間成形品部
５  加飾フィルム
５０  加飾層
５１  基体シート
５２  絵柄層
５３  接着層
５４  剥離層
５５  離型層
５０１  第１金型
５０２  第２金型
５０３  成形空間部
５０４  補助空間部
５０５  樹脂成形品
５０５ａ  樹脂成形部
５０５ｂ  図示
５１４  ゲート部
５５１  ウエルド
５５２  樹脂焼け
７１  第１金型
７２  第２金型
７７  金型タッチセンサー
８０  射出成形同時加飾品
８１  製品成形空間部
８３  成形空間部
９１  製品成形空間部
９２  樹脂注入用成形空間部
９３  樹脂排出用成形空間部
Ｆ１  流れ方向
Ｆ３  流れ方向
Ｆ５  流れ方向
Ｆ１２  流れ方向
【図１】
2005246974.tif 000004
【図２】
2005246974.tif 000005
【図３】
2005246974.tif 000006
【図４】
2005246974.tif 000007
【図５】
2005246974.tif 000008
【図６】
2005246974.tif 000009
【図７】
2005246974.tif 000010
【図８】
2005246974.tif 000011
【図９】
2005246974.tif 000012
【図１０】
2005246974.tif 000013
【図１１】
2005246974.tif 000014
【図１２】
2005246974.tif 000015
【図１３】
2005246974.tif 000016
【図１４】
2005246974.tif 000017
【図１５】
2005246974.tif 000018
【図１６】
2005246974.tif 000019
【図１７】
2005246974.tif 000020
【図１８】
2005246974.tif 000021
【図１９】
2005246974.tif 000022
【図２０】
2005246974.tif 000023
【図２１】
2005246974.tif 000024
【図２２】
2005246974.tif 000025
【図２３】
2005246974.tif 000026
【図２４】
2005246974.tif 000027
【図２５】
2005246974.tif 000028
【図２６】
2005246974.tif 000029
【図２７】
2005246974.tif 000030
【図２８】
2005246974.tif 000031
【図２９】
2005246974.tif 000032
【図３０】
2005246974.tif 000033
【図３１】
2005246974.tif 000034
【図３２】
2005246974.tif 000035
【図３３】
2005246974.tif 000036
【図３４】
2005246974.tif 000037
【図３５】
2005246974.tif 000038
【図３６】
2005246974.tif 000039
【図３７】
2005246974.tif 000040
【図３８】
2005246974.tif 000041
【図３９】
2005246974.tif 000042
【図４０】
2005246974.tif 000043
【図４１】
2005246974.tif 000044
【図４２】
2005246974.tif 000045